(57)【要約】【課題】              生鮮品の買い物を簡単容易にすること。【解決手段】          サーバ装置３０は、広告申込期限になったときに、店舗会員端末１０からの広告情報に基づいて価格情報を生成し、価格情報に基づいて共同購入情報を生成し、共同購入情報を共同購入会員端末２０に送信し、共同購入会員端末２０からの購入希望情報について受付番号・時刻を関連付けて登録し、受付期限になったときに、価格情報、購入希望情報、受付番号、受付時刻に基づいて割当情報を生成し、広告情報、共同購入情報、購入希望情報、割当情報に基づいて集荷情報を生成し、集荷情報を店舗会員端末１０および配送業者端末４０に送信し、購入希望情報、割当情報、共同購入会員情報に基づいて、配送情報を生成し、配送情報を共同購入会員端末２０および配送業者端末４０に送信する。【選択図】            図１１
2006277106.tif 000002
【特許請求の範囲】
【請求項１】
店舗会員が用いる１又は複数の店舗会員端末と、共同購入会員が用いる１又は複数の共同購入会員端末と、サービス事業者が管理するサーバ装置と、配送業者が用いる１又は複数の配送業者端末と、前記店舗会員端末、前記共同購入会員端末、前記サーバ装置、および前記配送業者端末と接続するネットワークと、を有する共同購入システムであって、
前記店舗会員端末は、店舗会員名に係る１又は複数の品名、単価、販売可能数量を含む広告情報を前記サーバ装置に送信する通信部を有し、
前記共同購入会員端末は、共同購入会員名に係る１又は複数の希望品名、単価、希望数量、小計を含む購入希望情報を前記サーバ装置に送信する通信部を有し、
前記サーバ装置は、
予め規定された広告申込期限になったときに、前記店舗会員端末からの前記広告情報に基づいて、品名ごとに１又は複数の店舗会員名、単価、販売可能数量を含む価格情報を生成する価格情報生成部と、
前記価格情報に基づいて、１又は複数の品名、単価、販売可能数量を含む共同購入情報を生成する共同購入情報生成部と、
前記共同購入会員端末からの前記購入希望情報について受付番号および受付時刻を付与し、当該購入希望情報と受付番号および受付時刻を関連付けて登録する受付管理部と、
予め規定された受付期限になったときに、価格情報、購入希望情報、受付番号、受付時刻に基づいて、受付時刻の早い購入希望情報の受付番号から順に、該当する品名の価格の低い方から購入希望情報に係る希望数量を割り当てた割当情報を生成する割当情報生成部と、
前記広告情報、前記共同購入情報、前記購入希望情報、前記割当情報に基づいて、店舗会員ごとに店舗会員名に係る１又は複数の品名、単価、購入希望数量、小計を含む集荷情報を生成する集荷情報生成部と、
前記購入希望情報、前記割当情報、および、共同購入会員名、住所、電話番号、決済方法を含む共同購入会員情報に基づいて、共同購入会員ごとに共同購入会員名に係る１又は複数の品名、単価、数量、小計を含む配送情報を生成する配送情報生成部と、
前記共同購入会員端末のアクセスに応じて、前記共同購入情報を前記共同購入会員端末に送信するとともに、前記集荷情報を前記店舗会員端末および前記配送業者端末に送信し、前記配送情報を前記共同購入会員端末および前記配送業者端末に送信する通信部と、
を有することを特徴とする共同購入システム。
【請求項２】
店舗会員が用いる１又は複数の店舗会員端末と、共同購入会員が用いる１又は複数の共同購入会員端末と、サービス事業者が管理するサーバ装置と、配送業者が用いる１又は複数の配送業者端末と、前記店舗会員端末、前記共同購入会員端末、前記サーバ装置、および前記配送業者端末と接続するネットワークと、を有する共同購入システムであって、
前記店舗会員端末は、店舗会員名に係る１又は複数の品名、単価、販売可能数量を含む広告情報を前記サーバ装置に送信する通信部を有し、
前記共同購入会員端末は、共同購入会員名に係る１又は複数の希望品名、単価、希望数量、小計を含む購入希望情報を前記サーバ装置に送信する通信部を有し、
前記サーバ装置は、
予め規定された広告申込期限になったときに、前記店舗会員端末からの前記広告情報に基づいて、品名ごとに１又は複数の店舗会員名、単価、販売可能数量を含む価格情報を生成する価格情報生成部と、
前記価格情報に基づいて、１又は複数の品名、単価、販売残数量を含む共同購入情報を生成する共同購入情報生成部と、
前記共同購入会員端末からの前記購入希望情報について受付番号および受付時刻を付与し、当該購入希望情報と受付番号および受付時刻を関連付けて登録する受付管理部と、
前記共同購入会員端末からの前記購入希望情報の希望品名および希望数量に基づいて、前記共同購入情報における対応する品名の販売残数量から希望数量を差し引いて、新たな共同購入情報に更新する共同購入情報更新部と、
予め規定された受付期限になると、前記広告情報、前記共同購入情報、前記購入希望情報に基づいて、店舗会員ごとに店舗会員名に係る１又は複数の品名、単価、購入希望数量、小計を含む集荷情報を生成する集荷情報生成部と、
前記購入希望情報、前記割当情報、および、共同購入会員名、住所、電話番号、決済方法を含む共同購入会員情報に基づいて、共同購入会員ごとに共同購入会員名に係る１又は複数の品名、単価、数量、小計を含む配送情報を生成する配送情報生成部と、
前記共同購入会員端末のアクセスに応じて、前記共同購入情報を前記共同購入会員端末に送信するとともに、前記集荷情報を前記店舗会員端末および前記配送業者端末に送信し、前記配送情報を前記共同購入会員端末および前記配送業者端末に送信する通信部と、
を有することを特徴とする共同購入システム。
【請求項３】
前記サーバ装置は、予め規定された会計期末になったときに、未決済に係る配送情報に基づいて共同購入会員名に係る１又は複数の品名、単価、数量、小計、合計を含む決済情報を生成する決済情報生成部を有し、
前記サーバ装置の前記通信部は、前記共同購入会員端末に前記決済情報を送信することを特徴とする請求項１又は２記載の共同購入システム。
【請求項４】
前記サーバ装置は、対応する前記広告情報、前記価格情報、前記共同購入情報、前記購入希望情報、前記集荷情報、前記配送情報、及び前記決済情報を関連付けて記憶部に登録する情報登録部を有することを特徴とする請求項１乃至３のいずれか一に記載の共同購入システム。
【請求項５】
店舗会員が用いる１又は複数の店舗会員端末とネットワークを介して接続するとともに、共同購入会員が用いる１又は複数の共同購入会員端末とネットワークを介して接続し、配送業者が用いる１又は複数の配送業者端末とネットワークを介して接続するサーバ装置であって、
予め規定された広告申込期限になったときに、前記店舗会員端末からの店舗会員名に係る１又は複数の品名、単価、販売可能数量を含む広告情報に基づいて、品名ごとに１又は複数の店舗会員名、単価、販売可能数量を含む価格情報を生成する価格情報生成部と、
前記価格情報に基づいて、１又は複数の品名、単価、販売可能数量を含む共同購入情報を生成する共同購入情報生成部と、
前記共同購入会員端末からの共同購入会員名に係る１又は複数の希望品名、単価、希望数量、小計を含む購入希望情報について受付番号および受付時刻を付与し、当該購入希望情報と受付番号および受付時刻を関連付けて登録する受付管理部と、
予め規定された受付期限になったときに、価格情報、購入希望情報、受付番号、受付時刻に基づいて、受付時刻の早い購入希望情報の受付番号から順に、該当する品名の価格の低い方から購入希望情報に係る希望数量を割り当てた割当情報を生成する割当情報生成部と、
前記広告情報、前記共同購入情報、前記購入希望情報、前記割当情報に基づいて、店舗会員ごとに店舗会員名に係る１又は複数の品名、単価、購入希望数量、小計を含む集荷情報を生成する集荷情報生成部と、
前記購入希望情報、前記割当情報、および、共同購入会員名、住所、電話番号、決済方法を含む共同購入会員情報に基づいて、共同購入会員ごとに共同購入会員名に係る１又は複数の品名、単価、数量、小計を含む配送情報を生成する配送情報生成部と、
前記共同購入会員端末のアクセスに応じて、前記共同購入情報を前記共同購入会員端末に送信するとともに、前記集荷情報を前記店舗会員端末および前記配送業者端末に送信し、前記配送情報を前記共同購入会員端末および前記配送業者端末に送信する通信部と、
を有することを特徴とするサーバ装置。
【請求項６】
店舗会員が用いる１又は複数の店舗会員端末とネットワークを介して接続するとともに、共同購入会員が用いる１又は複数の共同購入会員端末とネットワークを介して接続し、配送業者が用いる１又は複数の配送業者端末とネットワークを介して接続するサーバ装置であって、
予め規定された広告申込期限になったときに、前記店舗会員端末からの店舗会員名に係る１又は複数の品名、単価、販売可能数量を含む広告情報に基づいて、品名ごとに１又は複数の店舗会員名、単価、販売可能数量を含む価格情報を生成する価格情報生成部と、
前記価格情報に基づいて、１又は複数の品名、単価、販売残数量を含む共同購入情報を生成する共同購入情報生成部と、
前記共同購入会員端末からの共同購入会員名に係る１又は複数の希望品名、単価、希望数量、小計を含む購入希望情報について受付番号および受付時刻を付与し、当該購入希望情報と受付番号および受付時刻を関連付けて登録する受付管理部と、
前記共同購入会員端末からの前記購入希望情報の希望品名および希望数量に基づいて、前記共同購入情報における対応する品名の販売残数量から希望数量を差し引いて、新たな共同購入情報に更新する共同購入情報更新部と、
予め規定された受付期限になると、前記広告情報、前記共同購入情報、前記購入希望情報に基づいて、店舗会員ごとに店舗会員名に係る１又は複数の品名、単価、購入希望数量、小計を含む集荷情報を生成する集荷情報生成部と、
前記購入希望情報、前記割当情報、および、共同購入会員名、住所、電話番号、決済方法を含む共同購入会員情報に基づいて、共同購入会員ごとに共同購入会員名に係る１又は複数の品名、単価、数量、小計を含む配送情報を生成する配送情報生成部と、
前記共同購入会員端末のアクセスに応じて、前記共同購入情報を前記共同購入会員端末に送信するとともに、前記集荷情報を前記店舗会員端末および前記配送業者端末に送信し、前記配送情報を前記共同購入会員端末および前記配送業者端末に送信する通信部と、
を有することを特徴とするサーバ装置。
【請求項７】
予め規定された会計期末になったときに、未決済に係る配送情報に基づいて共同購入会員名に係る１又は複数の品名、単価、数量、小計、合計を含む決済情報を生成する決済情報生成部を有し、
前記通信部は、前記共同購入会員端末に前記決済情報を送信することを特徴とする請求項５又は６記載のサーバ装置。
【請求項８】
対応する前記広告情報、前記価格情報、前記共同購入情報、前記購入希望情報、前記集荷情報、前記配送情報、及び前記決済情報を関連付けて記憶部に登録する情報登録部を有することを特徴とする請求項５乃至７のいずれか一に記載のサーバ装置。
【請求項９】
店舗会員が用いる１又は複数の店舗会員端末とネットワークを介して接続するとともに、共同購入会員が用いる１又は複数の共同購入会員端末とネットワークを介して接続し、配送業者が用いる１又は複数の配送業者端末とネットワークを介して接続するサーバ装置を用いて共同購入を行う共同購入方法であって、
前記サーバ装置にて、予め規定された広告申込期限になったときに、前記店舗会員端末からの店舗会員名に係る１又は複数の品名、単価、販売可能数量を含む広告情報に基づいて、品名ごとに１又は複数の店舗会員名、単価、販売可能数量を含む価格情報を生成する工程と、
前記サーバ装置にて、前記価格情報に基づいて、１又は複数の品名、単価、販売可能数量を含む共同購入情報を生成する工程と、
前記サーバ装置にて、前記共同購入会員端末のアクセスに応じて、前記共同購入情報を前記共同購入会員端末に送信する工程と、
前記サーバ装置にて、前記共同購入会員端末からの共同購入会員名に係る１又は複数の希望品名、単価、希望数量、小計を含む購入希望情報について受付番号および受付時刻を付与し、当該購入希望情報と受付番号および受付時刻を関連付けて登録する工程と、
前記サーバ装置にて、予め規定された受付期限になったときに、価格情報、購入希望情報、受付番号、受付時刻に基づいて、受付時刻の早い購入希望情報の受付番号から順に、該当する品名の価格の低い方から購入希望情報に係る希望数量を割り当てた割当情報を生成する工程と、
前記サーバ装置にて、前記広告情報、前記共同購入情報、前記購入希望情報、前記割当情報に基づいて、店舗会員ごとに店舗会員名に係る１又は複数の品名、単価、購入希望数量、小計を含む集荷情報を生成し、当該集荷情報を前記店舗会員端末および前記配送業者端末に送信する工程と、
前記サーバ装置にて、前記購入希望情報、前記割当情報、および、共同購入会員名、住所、電話番号、決済方法を含む共同購入会員情報に基づいて、共同購入会員ごとに共同購入会員名に係る１又は複数の品名、単価、数量、小計を含む配送情報を生成し、当該配送情報を前記共同購入会員端末および前記配送業者端末に送信する工程と、
を含むことを特徴とする共同購入方法。
【請求項１０】
店舗会員が用いる１又は複数の店舗会員端末とネットワークを介して接続するとともに、共同購入会員が用いる１又は複数の共同購入会員端末とネットワークを介して接続し、配送業者が用いる１又は複数の配送業者端末とネットワークを介して接続するサーバ装置を用いて共同購入を行う共同購入方法であって、
前記サーバ装置にて、予め規定された広告申込期限になったときに、前記店舗会員端末からの店舗会員名に係る１又は複数の品名、単価、販売可能数量を含む広告情報に基づいて、品名ごとに１又は複数の店舗会員名、単価、販売可能数量を含む価格情報を生成する工程と、
前記サーバ装置にて、前記価格情報に基づいて、１又は複数の品名、単価、販売可能数量を含む共同購入情報を生成する工程と、
前記サーバ装置にて、前記共同購入会員端末のアクセスに応じて、前記共同購入情報を前記共同購入会員端末に送信する工程と、
前記サーバ装置にて、前記共同購入会員端末からの共同購入会員名に係る１又は複数の希望品名、単価、希望数量、小計を含む購入希望情報について受付番号および受付時刻を付与し、当該購入希望情報と受付番号および受付時刻を関連付けて登録する工程と、
前記サーバ装置にて、前記共同購入会員端末からの前記購入希望情報の希望品名および希望数量に基づいて、前記共同購入情報における対応する品名の販売残数量から希望数量を差し引いて、新たな共同購入情報に更新する工程と、
前記サーバ装置にて、前記広告情報、前記共同購入情報、前記購入希望情報に基づいて、店舗会員ごとに店舗会員名に係る１又は複数の品名、単価、購入希望数量、小計を含む集荷情報を生成し、当該集荷情報を前記店舗会員端末および前記配送業者端末に送信する工程と、
前記サーバ装置にて、前記購入希望情報、前記割当情報、および、共同購入会員名、住所、電話番号、決済方法を含む共同購入会員情報に基づいて、共同購入会員ごとに共同購入会員名に係る１又は複数の品名、単価、数量、小計を含む配送情報を生成し、当該配送情報を前記共同購入会員端末および前記配送業者端末に送信する工程と、
を含むことを特徴とする共同購入方法。
【請求項１１】
前記サーバ装置にて、予め規定された会計期末になったときに、未決済に係る配送情報に基づいて共同購入会員名に係る１又は複数の品名、単価、数量、小計、合計を含む決済情報を生成する工程と、
前記サーバ装置にて、前記共同購入会員端末に前記決済情報を送信する工程と、
を含むことを特徴とする請求項９又は１０記載の共同購入方法。
【請求項１２】
前記サーバ装置にて、対応する前記広告情報、前記価格情報、前記共同購入情報、前記購入希望情報、前記集荷情報、前記配送情報、及び前記決済情報を関連付けて記憶部に登録する工程を含むことを特徴とする請求項９乃至１１のいずれか一に記載の共同購入方法。
【請求項１３】
店舗会員が用いる１又は複数の店舗会員端末とネットワークを介して接続するとともに、共同購入会員が用いる１又は複数の共同購入会員端末とネットワークを介して接続し、配送業者が用いる１又は複数の配送業者端末とネットワークを介して接続するサーバ装置を用いて共同購入を実行させる共同購入プログラムであって、
前記サーバ装置にて、予め規定された広告申込期限になったときに、前記店舗会員端末からの店舗会員名に係る１又は複数の品名、単価、販売可能数量を含む広告情報に基づいて、品名ごとに１又は複数の店舗会員名、単価、販売可能数量を含む価格情報を生成するステップと、
前記サーバ装置にて、前記価格情報に基づいて、１又は複数の品名、単価、販売可能数量を含む共同購入情報を生成するステップと、
前記サーバ装置にて、前記共同購入会員端末のアクセスに応じて、前記共同購入情報を前記共同購入会員端末に送信するステップと、
前記サーバ装置にて、前記共同購入会員端末からの共同購入会員名に係る１又は複数の希望品名、単価、希望数量、小計を含む購入希望情報について受付番号および受付時刻を付与し、当該購入希望情報と受付番号および受付時刻を関連付けて登録するステップと、
前記サーバ装置にて、予め規定された受付期限になったときに、価格情報、購入希望情報、受付番号、受付時刻に基づいて、受付時刻の早い購入希望情報の受付番号から順に、該当する品名の価格の低い方から購入希望情報に係る希望数量を割り当てた割当情報を生成するステップと、
前記サーバ装置にて、前記広告情報、前記共同購入情報、前記購入希望情報、前記割当情報に基づいて、店舗会員ごとに店舗会員名に係る１又は複数の品名、単価、購入希望数量、小計を含む集荷情報を生成し、当該集荷情報を前記店舗会員端末および前記配送業者端末に送信するステップと、
前記サーバ装置にて、前記購入希望情報、前記割当情報、および、共同購入会員名、住所、電話番号、決済方法を含む共同購入会員情報に基づいて、共同購入会員ごとに共同購入会員名に係る１又は複数の品名、単価、数量、小計を含む配送情報を生成し、当該配送情報を前記共同購入会員端末および前記配送業者端末に送信するステップと、
を実行させることを特徴とする共同購入プログラム。
【請求項１４】
店舗会員が用いる１又は複数の店舗会員端末とネットワークを介して接続するとともに、共同購入会員が用いる１又は複数の共同購入会員端末とネットワークを介して接続し、配送業者が用いる１又は複数の配送業者端末とネットワークを介して接続するサーバ装置を用いて共同購入を実行させる共同購入プログラムであって、
前記サーバ装置にて、予め規定された広告申込期限になったときに、前記店舗会員端末からの店舗会員名に係る１又は複数の品名、単価、販売可能数量を含む広告情報に基づいて、品名ごとに１又は複数の店舗会員名、単価、販売可能数量を含む価格情報を生成するステップと、
前記サーバ装置にて、前記価格情報に基づいて、１又は複数の品名、単価、販売可能数量を含む共同購入情報を生成するステップと、
前記サーバ装置にて、前記共同購入会員端末のアクセスに応じて、前記共同購入情報を前記共同購入会員端末に送信するステップと、
前記サーバ装置にて、前記共同購入会員端末からの共同購入会員名に係る１又は複数の希望品名、単価、希望数量、小計を含む購入希望情報について受付番号および受付時刻を付与し、当該購入希望情報と受付番号および受付時刻を関連付けて登録するステップと、
前記サーバ装置にて、前記共同購入会員端末からの前記購入希望情報の希望品名および希望数量に基づいて、前記共同購入情報における対応する品名の販売残数量から希望数量を差し引いて、新たな共同購入情報に更新するステップと、
前記サーバ装置にて、前記広告情報、前記共同購入情報、前記購入希望情報に基づいて、店舗会員ごとに店舗会員名に係る１又は複数の品名、単価、購入希望数量、小計を含む集荷情報を生成し、当該集荷情報を前記店舗会員端末および前記配送業者端末に送信するステップと、
前記サーバ装置にて、前記購入希望情報、前記割当情報、および、共同購入会員名、住所、電話番号、決済方法を含む共同購入会員情報に基づいて、共同購入会員ごとに共同購入会員名に係る１又は複数の品名、単価、数量、小計を含む配送情報を生成し、当該配送情報を前記共同購入会員端末および前記配送業者端末に送信するステップと、
を実行させることを特徴とする共同購入プログラム。
【請求項１５】
前記サーバ装置にて、予め規定された会計期末になったときに、未決済に係る配送情報に基づいて共同購入会員名に係る１又は複数の品名、単価、数量、小計、合計を含む決済情報を生成するステップと、
前記サーバ装置にて、前記共同購入会員端末に前記決済情報を送信するステップと、
を実行させることを特徴とする請求項１３又は１４記載の共同購入プログラム。
【請求項１６】
前記サーバ装置にて、対応する前記広告情報、前記価格情報、前記共同購入情報、前記購入希望情報、前記集荷情報、前記配送情報、及び前記決済情報を関連付けて記憶部に登録するステップを実行させることを特徴とする請求項１３乃至１５のいずれか一に記載の共同購入プログラム。
【発明の詳細な説明】
【技術分野】
【０００１】
本発明は、共同購入システム、共同購入方法および共同購入プログラムに関し、特に、生鮮食料品等の生鮮品を共同購入するのに適した共同購入システム、共同購入方法および共同購入プログラムに関する。
【背景技術】
【０００２】
近年、パーソナルコンピュータや家電製品、自動車保険、ブロードバンド等の価格を全国レベルで比較するＷｅｂサイトや、通信販売するＷｅｂサイトが存在し、例えば、生活協同組合のＷｅｂサイトでは一部生鮮食料品を取り扱う地域密着型の共同購入方法が見受けられる。
【０００３】
【特許文献１】特開２００２−２４５８８号公報
【特許文献２】特開２００２−２１５６４０号公報
【発明の開示】
【発明が解決しようとする課題】
【０００４】
しかしながら、このような従来の共同購入方法では、主力商品は鮮度を問わない比較的日持ちのする商品に限られ、特に生鮮食料品等の生鮮品の場合には「自宅注文かつお店で受け取り」が基本である。
【０００５】
また、注文方法はＯＣＲ（Optical Character Reader、光学式文字読み取り装置）、マークシート、ＦＡＸ、電話注文が主体で、最近になってやっとＷｅｂ利用が始まっているが、Ｗｅｂを利用した注文方法も、基本的には「事前注文かつ後日配送」で即日性がない。
【０００６】
さらに、データベースの活用に関しても、生協会員の購入実績の把握分析程度に留まっている。
【０００７】
ところで、一般に、スーパーマーケットは地理的に離れた地域毎に点在しているが、生鮮食料品等の生鮮品を購入する場合、独居老人、高齢者世帯、障害者世帯、子育て中の主婦、山間部の過疎地域や交通の便の悪い地域の住民にとって、さらに降雪／積雪等の悪天候が重なれば、買い物は非常に大変な大仕事となる。
【０００８】
また、通常、消費者心理として「少しでも安い食品を購入したい」ものの、「Ａ店は野菜が安いが魚は高い、Ｂ店はその逆」となり、移動コストも勘案して（妥協して）どちらか一方の店舗で購入する、あるいは、スーパーのチラシが届かずに、安売りを見逃す、あるいは、単に遠いから行かない・・・等々、機会損失や経済損失が発生するといった問題がある。
【０００９】
また、生鮮食料品等の生鮮品の共同購入としては生活協同組合があるが、地域スーパー等との連携ではなく、生産者からの直接大量まとめ買いであるため、必ずしも上述した消費者のコスト的な要望を満たすものではなく、地域経済の活性化にも貢献していないといった問題もある。
【００１０】
本発明の主な課題は、生鮮品の買い物を簡単容易にすることである。
【課題を解決するための手段】
【００１１】
本発明の第１の視点においては、店舗会員が用いる１又は複数の店舗会員端末と、共同購入会員が用いる１又は複数の共同購入会員端末と、サービス事業者が管理するサーバ装置と、配送業者が用いる１又は複数の配送業者端末と、前記店舗会員端末、前記共同購入会員端末、前記サーバ装置、および前記配送業者端末と接続するネットワークと、を有する共同購入システムであって、前記店舗会員端末は、店舗会員名に係る１又は複数の品名、単価、販売可能数量を含む広告情報を前記サーバ装置に送信する通信部を有し、前記共同購入会員端末は、共同購入会員名に係る１又は複数の希望品名、単価、希望数量、小計を含む購入希望情報を前記サーバ装置に送信する通信部を有し、前記サーバ装置は、予め規定された広告申込期限になったときに、前記店舗会員端末からの前記広告情報に基づいて、品名ごとに１又は複数の店舗会員名、単価、販売可能数量を含む価格情報を生成する価格情報生成部と、前記価格情報に基づいて、１又は複数の品名、単価、販売可能数量を含む共同購入情報を生成する共同購入情報生成部と、前記共同購入会員端末からの前記購入希望情報について受付番号および受付時刻を付与し、当該購入希望情報と受付番号および受付時刻を関連付けて登録する受付管理部と、予め規定された受付期限になったときに、価格情報、購入希望情報、受付番号、受付時刻に基づいて、受付時刻の早い購入希望情報の受付番号から順に、該当する品名の価格の低い方から購入希望情報に係る希望数量を割り当てた割当情報を生成する割当情報生成部と、前記広告情報、前記共同購入情報、前記購入希望情報、前記割当情報に基づいて、店舗会員ごとに店舗会員名に係る１又は複数の品名、単価、購入希望数量、小計を含む集荷情報を生成する集荷情報生成部と、前記購入希望情報、前記割当情報、および、共同購入会員名、住所、電話番号、決済方法を含む共同購入会員情報に基づいて、共同購入会員ごとに共同購入会員名に係る１又は複数の品名、単価、数量、小計を含む配送情報を生成する配送情報生成部と、前記共同購入会員端末のアクセスに応じて、前記共同購入情報を前記共同購入会員端末に送信するとともに、前記集荷情報を前記店舗会員端末および前記配送業者端末に送信し、前記配送情報を前記共同購入会員端末および前記配送業者端末に送信する通信部と、を有することを特徴とする。
【００１２】
本発明の第２の視点においては、店舗会員が用いる１又は複数の店舗会員端末と、共同購入会員が用いる１又は複数の共同購入会員端末と、サービス事業者が管理するサーバ装置と、配送業者が用いる１又は複数の配送業者端末と、前記店舗会員端末、前記共同購入会員端末、前記サーバ装置、および前記配送業者端末と接続するネットワークと、を有する共同購入システムであって、前記店舗会員端末は、店舗会員名に係る１又は複数の品名、単価、販売可能数量を含む広告情報を前記サーバ装置に送信する通信部を有し、前記共同購入会員端末は、共同購入会員名に係る１又は複数の希望品名、単価、希望数量、小計を含む購入希望情報を前記サーバ装置に送信する通信部を有し、前記サーバ装置は、予め規定された広告申込期限になったときに、前記店舗会員端末からの前記広告情報に基づいて、品名ごとに１又は複数の店舗会員名、単価、販売可能数量を含む価格情報を生成する価格情報生成部と、前記価格情報に基づいて、１又は複数の品名、単価、販売残数量を含む共同購入情報を生成する共同購入情報生成部と、前記共同購入会員端末からの前記購入希望情報について受付番号および受付時刻を付与し、当該購入希望情報と受付番号および受付時刻を関連付けて登録する受付管理部と、前記共同購入会員端末からの前記購入希望情報の希望品名および希望数量に基づいて、前記共同購入情報における対応する品名の販売残数量から希望数量を差し引いて、新たな共同購入情報に更新する共同購入情報更新部と、予め規定された受付期限になると、前記広告情報、前記共同購入情報、前記購入希望情報に基づいて、店舗会員ごとに店舗会員名に係る１又は複数の品名、単価、購入希望数量、小計を含む集荷情報を生成する集荷情報生成部と、前記購入希望情報、前記割当情報、および、共同購入会員名、住所、電話番号、決済方法を含む共同購入会員情報に基づいて、共同購入会員ごとに共同購入会員名に係る１又は複数の品名、単価、数量、小計を含む配送情報を生成する配送情報生成部と、前記共同購入会員端末のアクセスに応じて、前記共同購入情報を前記共同購入会員端末に送信するとともに、前記集荷情報を前記店舗会員端末および前記配送業者端末に送信し、前記配送情報を前記共同購入会員端末および前記配送業者端末に送信する通信部と、を有することを特徴とする。
【００１３】
本発明の第３の視点においては、店舗会員が用いる１又は複数の店舗会員端末とネットワークを介して接続するとともに、共同購入会員が用いる１又は複数の共同購入会員端末とネットワークを介して接続し、配送業者が用いる１又は複数の配送業者端末とネットワークを介して接続するサーバ装置であって、予め規定された広告申込期限になったときに、前記店舗会員端末からの店舗会員名に係る１又は複数の品名、単価、販売可能数量を含む広告情報に基づいて、品名ごとに１又は複数の店舗会員名、単価、販売可能数量を含む価格情報を生成する価格情報生成部と、前記価格情報に基づいて、１又は複数の品名、単価、販売可能数量を含む共同購入情報を生成する共同購入情報生成部と、前記共同購入会員端末からの共同購入会員名に係る１又は複数の希望品名、単価、希望数量、小計を含む購入希望情報について受付番号および受付時刻を付与し、当該購入希望情報と受付番号および受付時刻を関連付けて登録する受付管理部と、予め規定された受付期限になったときに、価格情報、購入希望情報、受付番号、受付時刻に基づいて、受付時刻の早い購入希望情報の受付番号から順に、該当する品名の価格の低い方から購入希望情報に係る希望数量を割り当てた割当情報を生成する割当情報生成部と、前記広告情報、前記共同購入情報、前記購入希望情報、前記割当情報に基づいて、店舗会員ごとに店舗会員名に係る１又は複数の品名、単価、購入希望数量、小計を含む集荷情報を生成する集荷情報生成部と、前記購入希望情報、前記割当情報、および、共同購入会員名、住所、電話番号、決済方法を含む共同購入会員情報に基づいて、共同購入会員ごとに共同購入会員名に係る１又は複数の品名、単価、数量、小計を含む配送情報を生成する配送情報生成部と、前記共同購入会員端末のアクセスに応じて、前記共同購入情報を前記共同購入会員端末に送信するとともに、前記集荷情報を前記店舗会員端末および前記配送業者端末に送信し、前記配送情報を前記共同購入会員端末および前記配送業者端末に送信する通信部と、を有することを特徴とする。
【００１４】
本発明の第４の視点においては、店舗会員が用いる１又は複数の店舗会員端末とネットワークを介して接続するとともに、共同購入会員が用いる１又は複数の共同購入会員端末とネットワークを介して接続し、配送業者が用いる１又は複数の配送業者端末とネットワークを介して接続するサーバ装置であって、予め規定された広告申込期限になったときに、前記店舗会員端末からの店舗会員名に係る１又は複数の品名、単価、販売可能数量を含む広告情報に基づいて、品名ごとに１又は複数の店舗会員名、単価、販売可能数量を含む価格情報を生成する価格情報生成部と、前記価格情報に基づいて、１又は複数の品名、単価、販売残数量を含む共同購入情報を生成する共同購入情報生成部と、前記共同購入会員端末からの共同購入会員名に係る１又は複数の希望品名、単価、希望数量、小計を含む購入希望情報について受付番号および受付時刻を付与し、当該購入希望情報と受付番号および受付時刻を関連付けて登録する受付管理部と、前記共同購入会員端末からの前記購入希望情報の希望品名および希望数量に基づいて、前記共同購入情報における対応する品名の販売残数量から希望数量を差し引いて、新たな共同購入情報に更新する共同購入情報更新部と、予め規定された受付期限になると、前記広告情報、前記共同購入情報、前記購入希望情報に基づいて、店舗会員ごとに店舗会員名に係る１又は複数の品名、単価、購入希望数量、小計を含む集荷情報を生成する集荷情報生成部と、前記購入希望情報、前記割当情報、および、共同購入会員名、住所、電話番号、決済方法を含む共同購入会員情報に基づいて、共同購入会員ごとに共同購入会員名に係る１又は複数の品名、単価、数量、小計を含む配送情報を生成する配送情報生成部と、前記共同購入会員端末のアクセスに応じて、前記共同購入情報を前記共同購入会員端末に送信するとともに、前記集荷情報を前記店舗会員端末および前記配送業者端末に送信し、前記配送情報を前記共同購入会員端末および前記配送業者端末に送信する通信部と、を有することを特徴とする。
【００１５】
本発明の第５の視点においては、店舗会員が用いる１又は複数の店舗会員端末とネットワークを介して接続するとともに、共同購入会員が用いる１又は複数の共同購入会員端末とネットワークを介して接続し、配送業者が用いる１又は複数の配送業者端末とネットワークを介して接続するサーバ装置を用いて共同購入を行う共同購入方法であって、前記サーバ装置にて、予め規定された広告申込期限になったときに、前記店舗会員端末からの店舗会員名に係る１又は複数の品名、単価、販売可能数量を含む広告情報に基づいて、品名ごとに１又は複数の店舗会員名、単価、販売可能数量を含む価格情報を生成する工程と、前記サーバ装置にて、前記価格情報に基づいて、１又は複数の品名、単価、販売可能数量を含む共同購入情報を生成する工程と、前記サーバ装置にて、前記共同購入会員端末のアクセスに応じて、前記共同購入情報を前記共同購入会員端末に送信する工程と、前記サーバ装置にて、前記共同購入会員端末からの共同購入会員名に係る１又は複数の希望品名、単価、希望数量、小計を含む購入希望情報について受付番号および受付時刻を付与し、当該購入希望情報と受付番号および受付時刻を関連付けて登録する工程と、前記サーバ装置にて、予め規定された受付期限になったときに、価格情報、購入希望情報、受付番号、受付時刻に基づいて、受付時刻の早い購入希望情報の受付番号から順に、該当する品名の価格の低い方から購入希望情報に係る希望数量を割り当てた割当情報を生成する工程と、前記サーバ装置にて、前記広告情報、前記共同購入情報、前記購入希望情報、前記割当情報に基づいて、店舗会員ごとに店舗会員名に係る１又は複数の品名、単価、購入希望数量、小計を含む集荷情報を生成し、当該集荷情報を前記店舗会員端末および前記配送業者端末に送信する工程と、前記サーバ装置にて、前記購入希望情報、前記割当情報、および、共同購入会員名、住所、電話番号、決済方法を含む共同購入会員情報に基づいて、共同購入会員ごとに共同購入会員名に係る１又は複数の品名、単価、数量、小計を含む配送情報を生成し、当該配送情報を前記共同購入会員端末および前記配送業者端末に送信する工程と、を含むことを特徴とする。
【００１６】
本発明の第６の視点においては、店舗会員が用いる１又は複数の店舗会員端末とネットワークを介して接続するとともに、共同購入会員が用いる１又は複数の共同購入会員端末とネットワークを介して接続し、配送業者が用いる１又は複数の配送業者端末とネットワークを介して接続するサーバ装置を用いて共同購入を行う共同購入方法であって、前記サーバ装置にて、予め規定された広告申込期限になったときに、前記店舗会員端末からの店舗会員名に係る１又は複数の品名、単価、販売可能数量を含む広告情報に基づいて、品名ごとに１又は複数の店舗会員名、単価、販売可能数量を含む価格情報を生成する工程と、前記サーバ装置にて、前記価格情報に基づいて、１又は複数の品名、単価、販売可能数量を含む共同購入情報を生成する工程と、前記サーバ装置にて、前記共同購入会員端末のアクセスに応じて、前記共同購入情報を前記共同購入会員端末に送信する工程と、前記サーバ装置にて、前記共同購入会員端末からの共同購入会員名に係る１又は複数の希望品名、単価、希望数量、小計を含む購入希望情報について受付番号および受付時刻を付与し、当該購入希望情報と受付番号および受付時刻を関連付けて登録する工程と、前記サーバ装置にて、前記共同購入会員端末からの前記購入希望情報の希望品名および希望数量に基づいて、前記共同購入情報における対応する品名の販売残数量から希望数量を差し引いて、新たな共同購入情報に更新する工程と、前記サーバ装置にて、前記広告情報、前記共同購入情報、前記購入希望情報に基づいて、店舗会員ごとに店舗会員名に係る１又は複数の品名、単価、購入希望数量、小計を含む集荷情報を生成し、当該集荷情報を前記店舗会員端末および前記配送業者端末に送信する工程と、前記サーバ装置にて、前記購入希望情報、前記割当情報、および、共同購入会員名、住所、電話番号、決済方法を含む共同購入会員情報に基づいて、共同購入会員ごとに共同購入会員名に係る１又は複数の品名、単価、数量、小計を含む配送情報を生成し、当該配送情報を前記共同購入会員端末および前記配送業者端末に送信する工程と、を含むことを特徴とする。
【００１７】
なお、本発明の前記共同購入方法の各工程は、ハードウェア資源であるサーバ装置においてプログラムを実行することによって実現される。
【発明の効果】
【００１８】
本発明（請求項１−１６）によれば、複数の地域スーパーマーケットで生鮮食料品等の生鮮品を購入する場合、独居老人、高齢者世帯、障害者世帯、子育て中の主婦、山間部の過疎地域や交通の便の悪い地域の住民にとって、さらに降雪／積雪等の悪天候が重なったとしても、買い物が非常に簡単容易になり、かつ、最低価格の生鮮食料品等の生鮮品の共同購入方法が実現され、機会損失や経済損失が発生することもなく、結果として地域経済の活性化にも貢献できる。
【００１９】
本発明（請求項１−１６）によれば、生鮮品が、最低価格で、大量に一括して共同購入することができるようになり、この際、共同購入会員、店舗会員、サービス事業者および配送業者にとって、個別の食品売買や配送行為が、サービス事業者が代表する形の一括売買、配送、一括決済といった共同購入方法で代行実現され、大幅に効率化が図れる。
【００２０】
本発明（請求項４、８、１２、１６）によれば、これら一連の売買データをデータベース化し、分析することで、食品の価格競争力や魅力、需要の有無や、（例えば）翌日以降の仕入れや値付けに反映させることができ、結果として在庫の適正化にも貢献できる。また、共同購入会員に早期時間帯に購入希望を入力しようと言う動機付けがなされ、結果として順次早い時間帯に注文が確定されることになる。よって店舗会員にとっても、共同購入会員にとっても、これらのデータベースを有効に活用できるようになる。
【発明を実施するための最良の形態】
【００２１】
（実施形態１）
本発明の実施形態１に係る共同購入システムについて図面を用いて説明する。図１は、本発明の実施形態１に係る共同購入システムの構成を模式的に示したブロック図である。図２〜９は、本発明の実施形態１に係る共同購入システムにおいて用いられる情報の一例を模式的に示した模式図である。なお、図２は広告情報、図３は価格情報、図４は共同購入情報、図５は購入希望情報、図６は割当情報、図７は集荷情報、図８は共同購入会員情報、図９は配送情報、図１０は決済情報に関するものである。
【００２２】
共同購入システム１は、商品（特に生鮮食料品等の生鮮品）を共同購入するためのシステムである。共同購入システム１は、店舗会員端末１０と、共同購入会員端末２０と、サーバ装置３０と、配送業者端末４０と、ネットワーク５０と、を有する。
【００２３】
店舗会員端末１０は、店舗会員が用いるコンピュータ端末であり、ネットワーク５０と通信可能に接続されている。店舗会員端末１０は、通信部１１と、情報処理部１２と、記憶部１３と、入力部１４と、出力部１５と、を有する。通信部１１は、ネットワーク５０との間で情報を送受信するための部分である。情報処理部１２は、プログラムに基づいて、情報処理する部分であり、ＣＰＵ（Central Processor Unit）中央演算部よりなる。情報処理部１２は、各構成部１１、１３、１４、１５の各種動作を制御する。記憶部１３は、ソフトウェア、データベース等の各種情報を記憶する部分である。入力部１４は、各種情報（例えば、品名／単価／販売可能数量／店舗会員名等の広告情報）を入力する部分であり、例えば、キーボード、マウス、ＯＣＲ（Optical Character Reader、光学式文字読み取り装置）、デジタルカメラ等の入力装置よりなる。入力部１４は、入力された情報を情報処理部１２に向けて出力する。出力部１５は、情報処理部１２からの各種情報を出力する部分であり、例えば、表示装置、プリンター等の出力装置よりなる。
【００２４】
共同購入会員端末２０は、共同購入会員が用いるコンピュータ端末であり、ネットワーク５０と通信可能に接続されている。共同購入会員端末２０は、通信部２１と、情報処理部２２と、記憶部２３と、入力部２４と、出力部２５と、を有する。通信部２１は、ネットワーク５０との間で情報を送受信するための部分である。情報処理部２２は、プログラムに基づいて、情報処理する部分であり、ＣＰＵ（Central Processor Unit）中央演算部よりなる。情報処理部２２は、各構成部２１、２３、２４、２５の各種動作を制御する。記憶部２３は、ソフトウェア、データベース等の各種情報を記憶する部分である。入力部２４は、各種情報（例えば、希望品名／希望数量／共同購入会員名等の購入希望情報）を入力する部分であり、例えば、キーボード、マウス等の入力装置よりなる。入力部２４は、入力された情報を情報処理部２２に向けて出力する。出力部２５は、情報処理部２２からの各種情報を出力する部分であり、例えば、表示装置、プリンター等の出力装置よりなる。
【００２５】
サーバ装置３０は、サービス事業者が管理するコンピュータサーバであり、ネットワーク５０と通信可能に接続されている。サーバ装置３０は、通信部３１と、情報処理部３２と、記憶部３３と、入力部３４と、出力部３５と、を有する。通信部３１は、ネットワーク５０との間で情報を送受信するための部分である。情報処理部３２は、プログラムに基づいて、情報処理する部分であり、ＣＰＵ（Central Processor Unit）中央演算部よりなる。情報処理部３２は、各構成部３１、３３、３４、３５の各種動作を制御する。記憶部３３は、ソフトウェア、データベース等の各種情報を記憶する部分である。入力部３４は、各種情報を入力する部分であり、例えば、キーボード、マウス等の入力装置よりなる。入力部３４は、入力された情報を情報処理部３２に向けて出力する。出力部３５は、情報処理部３２からの各種情報を出力する部分であり、例えば、表示装置、プリンター等の出力装置よりなる。
【００２６】
サーバ装置３０の情報処理部３２は、価格情報生成部３２ａと、共同購入情報生成部３２ｂと、受付管理部３２ｃと、割当情報生成部３２ｄと、集荷情報生成部３２ｅと、配送情報生成部３２ｆと、決済情報生成部３２ｇと、情報登録部３２ｈと、共同購入会員情報管理部３２ｉと、を有する。
【００２７】
価格情報生成部３２ａは、（時計機能に基づいて）予め規定された広告申込期限になったときに、各店舗会員端末１０からの広告情報に基づいて、品名ごとに価格情報を生成する。ここで、「広告情報」は、店舗会員によって作成された商品の広告のための情報であって、店舗会員名に係る１又は複数の品名、単価、販売可能数量を含む情報である（図２参照）。「価格情報」は、商品の価格を比較しやすくするための情報であって、品名に係る１又は複数の店舗会員名、単価、販売可能数量を含む情報である（図３参照）。
【００２８】
共同購入情報生成部３２ｂは、価格情報に基づいて、共同購入情報を生成する。ここで、「共同購入情報」は、共同購入可能な商品をまとめた情報であって、１又は複数の品名、単価、販売可能数量を含む情報である（図４参照）。
【００２９】
受付管理部３２ｃは、共同購入会員端末２０からの購入希望情報について受付番号および受付時刻を関連付けて登録する。ここで、「購入希望情報」は、共同購入会員によって作成された商品の購入の希望をとるための情報であって、共同購入会員名に係る１又は複数の希望品名、単価、希望数量、小計を含む情報である（図５参照）。「受付番号」は、購入希望情報の受付順に付与された番号である。「受付時刻」は、購入希望情報を受付したときに付与された時刻である。
【００３０】
割当情報生成部３２ｄは、（時計機能に基づいて）予め規定された受付期限になったときに、価格情報、購入希望情報、受付番号、受付時刻に基づいて、割当情報を生成する。ここで、「割当情報」は、受付時刻の早い購入希望情報の受付番号から順に、該当する品名の価格の低い方から購入希望情報に係る希望数量を割り当てた情報である（図６参照）。例えば、品名（例えば、なす５袋）の最低価格の販売可能数量になるまで該当する受付時刻の早い購入希望情報の希望数量を割り当ててゆき、品名（例えば、なす５袋）の最低価格の販売可能数量が満たされると、品名（例えば、なす５袋）の次点価格の販売可能数量になるまで該当する受付時刻の早い購入希望情報の希望数量を割り当ててゆく。
【００３１】
集荷情報生成部３２ｅは、広告情報、共同購入情報、購入希望情報、割当情報に基づいて、店舗会員ごとに集荷情報を生成する。ここで、「集荷情報」は、商品の集荷のために用いる情報であって、店舗会員名に係る１又は複数の品名、単価、購入希望数量、小計を含む情報である（図７参照）。
【００３２】
配送情報生成部３２ｆは、購入希望情報、割当情報、および共同購入会員情報に基づいて、共同購入会員ごとに配送情報を生成する。ここで、「共同購入会員情報」は、共同購入会員の個人情報をまとめた情報であって、共同購入会員名、住所、電話番号、決済方法を含む情報である（図８参照）。「配送情報」は、商品の配送のために用いる情報であって、共同購入会員名に係る１又は複数の品名、単価、数量、小計を含む情報である（図９参照）。
【００３３】
決済情報生成部３２ｇは、（時計機能に基づいて）予め規定された会計期末になったときに、未決済に係る配送情報に基づいて決済情報を生成する。ここで、「決済情報」は、商品の決済に用いられる情報であって、共同購入会員名に係る１又は複数の品名、単価、数量、小計、合計を含む情報である（図１０参照）。
【００３４】
情報登録部３２ｈは、対応する広告情報、価格情報、共同購入情報、購入希望情報、割当情報、集荷情報、配送情報、及び決済情報を関連付けて記憶部３３に登録する。
【００３５】
共同購入会員情報管理部３２ｉは、新規入会、退会又は登録事項変更に係る情報に基づいて、記憶部３３に登録された共同購入会員情報の所定事項の追加、削除又は変更を行う。
【００３６】
配送業者端末４０は、配送業者が用いるコンピュータ端末であり、ネットワーク５０と通信可能に接続されている。配送業者端末４０は、通信部４１と、情報処理部４２と、記憶部４３と、入力部４４と、出力部４５と、を有する。通信部４１は、ネットワーク５０との間で情報を送受信するための部分である。情報処理部４２は、プログラムに基づいて、情報処理する部分であり、ＣＰＵ（Central Processor Unit）中央演算部よりなる。情報処理部４２は、各構成部４１、４３、４４、４５の各種動作を制御する。記憶部４３は、ソフトウェア、データベース等の各種情報を記憶する部分である。入力部４４は、各種情報を入力する部分であり、例えば、キーボード、マウス等の入力装置よりなる。入力部４４は、入力された情報を情報処理部４２に向けて出力する。出力部４５は、情報処理部４２からの各種情報（例えば、集荷情報、配送情報）を出力する部分であり、例えば、表示装置、プリンター等の出力装置よりなる。
【００３７】
ネットワーク５０は、有線回線、無線回線等の情報ネットワーク網である。
【００３８】
次に、実施形態１に係る共同購入システムの動作について図面を用いて説明する。図１１は、本発明の実施形態１に係る共同購入システムの動作を模式的に示したフローチャートである。ここでは、サーバ装置３０において各共同購入会員の共同購入会員情報の登録がなされているものとする。
【００３９】
まず、店舗会員端末１０は、入力された広告情報をサーバ装置３０に送信する（ステップＡ１）。ここで、店舗会員は、通常、Ｗｅｂサービスを用いたオンライン販売をしていたり、宣伝用にＷｅｂ上に特売情報を掲載したり、地域の印刷業者や新聞配達所等に特売ちらしの折込み要請をするが、この際、（例えば）翌日販売予定の生鮮食料品の品名／単価／販売可能数量／店舗会員名等の広告情報（図２参照）をデータ化して所有しており、（例えば）毎夕刻、この広告情報を店舗会員端末１０に入力しサーバ装置３０に送信することで、サービス事業者に情報提供することになる。
【００４０】
次に、サーバ装置３０は、店舗会員端末１０からの広告情報を登録する（ステップＡ２）。つまり、サービス事業者は、各店舗会員から（例えば）翌日販売予定の生鮮食料品の広告情報を（例えば）毎夕刻入手する。
【００４１】
次に、サーバ装置３０は、広告情報の広告申込期限になると、申込期限までに登録された広告情報に基づいて価格情報を生成し、登録する（ステップＡ３）。例えば、サービス事業者は、地域内の全ての店舗会員の（例えば）翌日販売予定の広告情報を検索し、食品毎の最低価格の品名／単価／販売可能数量／店舗会員名等を抽出し、（例えば）翌朝までに価格情報（図３参照）としてデータベース化することになる。
【００４２】
次に、サーバ装置３０は、生成した価格情報に基づいて、共同購入情報を生成し、登録する（ステップＡ４）。つまり、サービス事業者は、品名毎に再整理し、品名／単価／販売可能数量等の共同購入情報（図４参照）を作成する。これにより、作成した共同購入情報を共同購入会員にＷｅｂ公開することになる。
【００４３】
次に、共同購入会員端末２０は、共同購入情報を閲覧するために、サーバ装置３０にアクセスする（ステップＡ５）。ここで、共同購入会員は、予め、氏名／住所／電話番号／決済方法等の共同購入会員情報（図８参照）をサービス事業者に登録して会員となっている。
【００４４】
次に、サーバ装置３０は、共同購入会員端末２０のアクセスに応じて、共同購入情報を共同購入会員端末２０に送信する（ステップＡ６）。つまり、共同購入会員は、（例えば）購入希望日の午前中に生鮮食料品のＷｅｂ公開された品名／単価／販売可能数量等の共同購入情報を取得する。
【００４５】
次に、共同購入会員端末２０は、サーバ装置３０からの共同購入情報を表示し、入力された購入希望情報をサーバ装置３０に送信する（ステップＡ７）。つまり、共同購入会員は、共同購入情報を閲覧し、（例えば）昼までに購入希望食品の品名／数量等を購入希望情報（図５参照）として共同購入会員端末２０を用いて入力し、先着順で共同購入を申し込む。
【００４６】
次に、サーバ装置３０は、共同購入会員端末２０からの購入希望情報について受付番号および受付時刻を付与し、当該購入希望情報と受付番号および受付時刻を関連付けて登録する（ステップＡ８）。つまり、サービス事業者は、サーバ装置３０により、自動的に各共同購入会員端末２０からの購入希望情報を先着順に受付け集計する。
【００４７】
次に、サーバ装置３０は、購入希望情報の受付期限になると、価格情報、購入希望情報、受付番号、受付時刻に基づいて、割当情報を生成し、登録する（ステップＡ９）。ここで、もし店舗会員同士で同一食品が同一の最低価格となる場合には、最低価格での販売数量が増えることになり、より多くの共同購入会員が購入可能となる。また、先着順で特にｎ番目およびｎ＋１番目の共同購入会員が同一食品を購入希望の場合、購入希望者が多いのに最低価格の販売可能数量が少なく、同一食品の単価が店舗会員毎にばらついている場合には、共同購入会員ｎには最低価格のものが割り当てられ、共同購入会員ｎ＋１には次点価格のものが割り当てられることがある。
【００４８】
次に、サーバ装置３０は、広告情報、共同購入情報、購入希望情報、割当情報に基づいて、店舗会員ごとに集荷情報を生成し、登録し、当該集荷情報を店舗会員端末１０および配送業者端末４０に送信する（ステップＡ１０）。その後、店舗会員端末１０は、サーバ装置３０からの集荷情報を出力する（ステップＡ１１）。一方で、配送業者端末４０は、サーバ装置３０からの集荷情報を出力する（ステップＡ１２）。つまり、サービス事業者は、購入希望情報の受付締切り後に、配送業者に集荷指示を与え、各店舗会員に配送業者の集荷があることを知らせる。
【００４９】
次に、サーバ装置３０は、購入希望情報、割当情報、および共同購入会員情報に基づいて、共同購入会員ごとに配送情報を生成し、登録し、当該配送情報を共同購入会員端末２０および配送業者端末４０に送信する（ステップＡ１３）。その後、共同購入会員端末２０は、サーバ装置３０からの配送情報を出力する（ステップＡ１４）。一方で、配送業者端末４０は、サーバ装置３０からの配送情報を出力する（ステップＡ１５）。つまり、サービス事業者は、購入希望情報の受付締切り後に、配送業者に配送指示を与え、共同購入会員に配送業者の配送があることを知らせる。
【００５０】
以上により、配送業者は、集荷情報および配送情報を入手することにより、集荷情報に基づいて各店舗会員を回って商品（生鮮品）を集荷し、配送情報に基づいて各共同購入会員宅を巡回し、（例えば）夕刻までに商品（生鮮品）を各会員宅に分散配送することになる。なお、会計期末までは、ステップＡ１〜Ａ１５を繰り返すことになる。
【００５１】
次に、サーバ装置３０は、（時計機能に基づいて）予め規定された会計期末になったときに、未決済に係る配送情報に基づいて決済情報を生成し、登録し、共同購入会員端末２０に当該決済情報を送信する（ステップＡ１６）。その後、共同購入会員端末２０は、サーバ装置３０からの決済情報を出力する（ステップＡ１７）。これにより、各共同購入会員は、決済情報を入手し、当該決済情報に応じた料金を決済日までにサービス事業者に支払うことになる。そして、サービス事業者は、各共同購入会員からの料金を受領して、店舗会員および配送業者に代金を支払うことになる。
【００５２】
実施形態１によれば、各会員が、これら一連の作業を（例えば）毎日繰り返すことで、生鮮品が、最低価格で、大量に一括して共同購入することができるようになる。したがって、共同購入会員は、全店舗会員が販売する範囲での最低価格で、希望する食品を必要数量だけ共同購入することができ、（例えば）午前中に注文すれば（例えば）当日の夕刻までに配送され、生鮮食料品が新鮮なまま即日購入でき、尚且つ支払いはサービス事業者に対し（例えば）月に一度の一括決済ができて非常に便利である。
【００５３】
また、各店舗会員は、（例えば）前日夕刻に広告情報を入力することで、（例えば）翌日の昼までに大口の食品販売が確定し、（例えば）午後には食品をまとめて出荷して一括販売完了し、尚且つ食品代金は（例えば）毎日の個別の決済ではなく、サービス事業者から（例えば）月に一度の一括決済にでき、効率的である。
【００５４】
また、配送業者も、（例えば）当日の昼に集荷情報と配送情報を入手することで、大口の集荷および多数の個別配送が確定し、尚且つ各共同購入会員から個別に配送料を徴収する手間も必要なく、サービス事業者から（例えば）月に一度の一括決済にできる。したがって、個別の食品売買や配送行為が、サーバ装置３０内部の記憶部３３に記憶保存された決済情報を活用することによって、サービス事業者が代表する形の一括注文、配送、一括決済といった共同購入方法で代行実現され、大幅に効率化が図れる。
【００５５】
また、購入希望者の先着順に最低価格の店舗会員から販売可能数量まで順次振り分けて行くことで、最低価格の店舗会員から順次完売となり、購入希望者にとっても店舗会員にとっても公平性が保たれる。
【００５６】
また、これら一連のデータをサーバ装置３０内部の記憶部３３にデータベース化し、分析することで、売れ残りが発生した場合には、その食品に価格競争力や魅力、需要がないことが店舗会員に分かる。さらにデータ分析によって（例えば）翌日以降の仕入れや値付けに反映させることができ、結果として在庫の適正化にも貢献できる。
【００５７】
また、先着順のために最低価格で購入できず次点価格で購入することとなった共同購入会員には、申込み時刻が遅かったことが分かり、次回からは早期時間帯に購入希望を入力しようという動機付けがなされ、結果として順次早い時間帯に注文が確定されることになる。よって、店舗会員にとっても、共同購入会員にとっても、これらのデータベースを有効に活用できる。
【００５８】
なお、サービス事業者は、予め、生鮮品を取り扱う地域のスーパーマーケット等の店舗会員と、共同購入を希望する共同購入会員および、配送業者を募り、生鮮食料品の共同購入、発注、決済、配送業務を一括代行する契約を結ぶ。また、サービス事業者は、店舗会員および共同購入会員の入会金、運営会費および取り扱い共同購入額に応じた手数料等を元手に業務を運営してもよい。
【００５９】
ここで、店舗会員の条件としては、スーパーマーケット以外にも、生鮮食料品を取り扱う八百屋、魚屋、肉屋等の小売店や、仲買業者等、継続的に新鮮な食品を大量に即日完売したい業者であれば、店舗会員たり得る。さらに、即日販売配送方式で生鮮食料品の鮮度が保てる範囲の地理的に離れた地域の同業者であれば、店舗会員たり得る。また、配送業者は、大口集荷および個別配送を行う業者、単一の配送業者でも、複数の配送業者でも良い。さらに、各作業工程の時間帯は例示されたものに限られるものではない。
【００６０】
以上のように、本実施の形態によれば、複数の地域スーパーマーケットで生鮮食料品を購入する場合、独居老人、高齢者世帯、障害者世帯、子育て中の主婦、山間部の過疎地域や交通の便の悪い地域の住民にとって、さらに降雪／積雪等の悪天候が重なったとしても、買い物が非常に簡単容易になり、尚且つ最低価格の生鮮食料品の共同購入方法が実現され、機会損失や経済損失が発生することもなく、結果として地域経済の活性化にも貢献できる。
【００６１】
（実施形態２）
本発明の実施形態２に係る共同購入システムについて図面を用いて説明する。図１２は、本発明の実施形態２に係る共同購入システムの構成を模式的に示したブロック図である。図１３は、本発明の実施形態２に係る共同購入システムにおいて用いられる共同購入情報の一例を模式的に示した模式図である。
【００６２】
実施形態２に係る共同購入システムでは、サーバ装置３０において、共同購入情報更新部３２ｊを有し、割当情報生成部（図１の３２ｄ）を有さない点で、実施形態１に係る共同購入システムと異なり、その他の構成については実施形態１に係る共同購入システムと同様である。
【００６３】
共同購入情報生成部３２ｂは、価格情報に基づいて、共同購入情報を生成する。ここで、「共同購入情報」は、共同購入可能な商品をまとめた情報であって、１又は複数の品名、単価、販売残数量を含む情報である（図１３参照）。
【００６４】
共同購入情報更新部３２ｊは、受信した購入希望情報の希望品名および希望数量に基づいて、共同購入情報における対応する品名の販売残数量から希望数量を差し引いて、新たな共同購入情報に更新する。
【００６５】
集荷情報生成部３２ｅは、広告情報、共同購入情報、購入希望情報に基づいて、店舗会員ごとに集荷情報を生成する。
【００６６】
次に、実施形態２に係る共同購入システムの動作について図面を用いて説明する。図１４は、本発明の実施形態２に係る共同購入システムの動作を模式的に示したフローチャートである。ここでは、サーバ装置３０において各共同購入会員の共同購入会員情報の登録がなされているものとする。
【００６７】
まず、店舗会員端末１０は、入力された広告情報をサーバ装置３０に送信する（ステップＢ１）。次に、サーバ装置３０は、店舗会員端末１０からの広告情報を登録する（ステップＢ２）。次に、サーバ装置３０は、広告情報の広告申込期限になると、申込期限までに登録された広告情報に基づいて価格情報を生成し、登録する（ステップＢ３）。次に、サーバ装置３０は、生成した価格情報に基づいて、共同購入情報を生成し、登録する（ステップＢ４）。次に、共同購入会員端末２０は、共同購入情報を閲覧するために、サーバ装置３０にアクセスする（ステップＢ５）。
【００６８】
次に、サーバ装置３０は、共同購入会員端末２０のアクセスに応じて、共同購入情報を共同購入会員端末２０に送信する（ステップＢ６）。ここで、受付期限までに購入希望情報を１つも受け付けていないときは生成した共同購入情報を送信し、受付期限までに購入希望情報を１つ以上受け付けたときは、対応する品名の販売残数量から希望数量を差し引いた新たな共同購入情報を送信する。
【００６９】
次に、共同購入会員端末２０は、サーバ装置３０からの共同購入情報を表示し、入力された購入希望情報をサーバ装置３０に送信する（ステップＢ７）。ここで、共同購入情報における所定の単価に係る品名の販売残数量が０になっているときは、当該所定の単価に係る品名の商品を購入する購入希望情報を送信することができないようになっている。販売残数量が０になっているときは、販売残数量が１つ以上の他の単価に係る品名を選択して購入希望情報を送信することになる。
【００７０】
次に、サーバ装置３０は、共同購入会員端末２０からの購入希望情報について受付番号および受付時刻を付与し、当該購入希望情報と受付番号および受付時刻を関連付けて登録する（ステップＢ８）。
【００７１】
次に、サーバ装置３０は、共同購入会員端末２０からの購入希望情報の希望品名および希望数量に基づいて、共同購入情報における対応する品名の販売残数量から希望数量を差し引いて、新たな共同購入情報に更新する（ステップＢ９）。
【００７２】
次に、サーバ装置３０は、購入希望情報の受付期限になると、広告情報、共同購入情報、購入希望情報に基づいて、店舗会員ごとに集荷情報を生成し、登録し、当該集荷情報を店舗会員端末１０および配送業者端末４０に送信する（ステップＢ１０）。その後、店舗会員端末１０は、サーバ装置３０からの集荷情報を出力する（ステップＢ１１）。一方で、配送業者端末４０は、サーバ装置３０からの集荷情報を出力する（ステップＢ１２）。次に、サーバ装置３０は、購入希望情報、および共同購入会員情報に基づいて、共同購入会員ごとに配送情報を生成し、登録し、当該配送情報を共同購入会員端末２０および配送業者端末４０に送信する（ステップＢ１３）。その後、共同購入会員端末２０は、サーバ装置３０からの配送情報を出力する（ステップＢ１４）。一方で、配送業者端末４０は、サーバ装置３０からの配送情報を出力する（ステップＢ１５）。なお、会計期末までは、ステップＢ１〜Ｂ１５を繰り返すことになる。
【００７３】
次に、サーバ装置３０は、（時計機能に基づいて）予め規定された会計期末になったときに、未決済に係る配送情報に基づいて決済情報を生成し、登録し、共同購入会員端末２０に当該決済情報を送信する（ステップＢ１６）。その後、共同購入会員端末２０は、サーバ装置３０からの決済情報を出力する（ステップＢ１７）。
【００７４】
実施形態２によれば、先着順で最低価格の食品が販売され、購入希望数量の累計が最低価格の販売可能数量に達した時点で、Ｗｅｂ公開される共同購入情報が最低価格から次点価格に自動的に変更され、購入希望数量の増加に応じてリアルタイムに価格を変動させることができるようになる。
【図面の簡単な説明】
【００７５】
【図１】本発明の実施形態１に係る共同購入システムの構成を模式的に示したブロック図である。
【図２】本発明の実施形態１に係る共同購入システムにおいて用いられる広告情報の一例を模式的に示した模式図である。
【図３】本発明の実施形態１に係る共同購入システムにおいて用いられる価格情報の一例を模式的に示した模式図である。
【図４】本発明の実施形態１に係る共同購入システムにおいて用いられる共同購入情報の一例を模式的に示した模式図である。
【図５】本発明の実施形態１に係る共同購入システムにおいて用いられる購入希望情報の一例を模式的に示した模式図である。
【図６】本発明の実施形態１に係る共同購入システムにおいて用いられる割当情報の一例を模式的に示した模式図である。
【図７】本発明の実施形態１に係る共同購入システムにおいて用いられる集荷情報の一例を模式的に示した模式図である。
【図８】本発明の実施形態１に係る共同購入システムにおいて用いられる共同購入会員情報の一例を模式的に示した模式図である。
【図９】本発明の実施形態１に係る共同購入システムにおいて用いられる配送情報の一例を模式的に示した模式図である。
【図１０】本発明の実施形態１に係る共同購入システムにおいて用いられる決済情報の一例を模式的に示した模式図である。
【図１１】本発明の実施形態１に係る共同購入システムの動作を模式的に示したフローチャートである。
【図１２】本発明の実施形態２に係る共同購入システムの構成を模式的に示したブロック図である。
【図１３】本発明の実施形態２に係る共同購入システムにおいて用いられる共同購入情報の一例を模式的に示した模式図である。
【図１４】本発明の実施形態２に係る共同購入システムの動作を模式的に示したフローチャートである。
【符号の説明】
【００７６】
１  共同購入システム
１０  店舗会員端末
１１  通信部
１２  情報処理部
１３  記憶部
１４  入力部
１５  出力部
２０  共同購入会員端末
２１  通信部
２２  情報処理部
２３  記憶部
２４  入力部
２５  出力部
３０  サーバ装置
３１  通信部
３２  情報処理部
３２ａ  価格情報生成部
３２ｂ  共同購入情報生成部
３２ｃ  受付管理部
３２ｄ  割当情報生成部
３２ｅ  集荷情報生成部
３２ｆ  配送情報生成部
３２ｇ  決済情報生成部
３２ｈ  情報登録部
３２ｉ  共同購入会員情報管理部
３２ｊ  共同購入情報更新部
３３  記憶部
３４  入力部
３５  出力部
４０  配送業者端末
４１  通信部
４２  情報処理部
４３  記憶部
４４  入力部
４５  出力部
５０  ネットワーク
【図１】
2006277106.tif 000003
【図２】
2006277106.tif 000004
【図３】
2006277106.tif 000005
【図４】
2006277106.tif 000006
【図５】
2006277106.tif 000007
【図６】
2006277106.tif 000008
【図７】
2006277106.tif 000009
【図８】
2006277106.tif 000010
【図９】
2006277106.tif 000011
【図１０】
2006277106.tif 000012
【図１１】
2006277106.tif 000013
【図１２】
2006277106.tif 000014
【図１３】
2006277106.tif 000015
【図１４】
2006277106.tif 000016